(57)【要約】反復ＣＤＭＡ送信の周波数と位相を探索するシステムおよび方法が提供される。その自動周波数制御（ＡＦＣ）ができない状態で、受信システムは公称［名目上の］受信周波数で送信部ＣＤＭＡ位相のための粗い探索を実行する。粗い位相が得られ、ＡＦＣが大レンジの引き入れと共に発動され、最初の公称周波数よりも送信部周波数により近づき易いような最初の粗い周波数を得る。この粗い周波数で、受信システムは、予め決定された粗い位相で開始するために送信部ＣＤＭＡ位相のための探索を繰り返す。この第２の位相の決定が周波数エラーがない状態で行なわれているので、これはより正確な位相の決定を提供している。ＡＦＣは再び行なわれるが、小レンジの引き入れと共に、より精密な周波数の決定を得る。このより精密な周波数の決定は位相エラーがない状態で行なわれるので、安定して精密な周波数決定における実質的な改善が達成可能である。従来の獲得プロセスと同様の時間の持続のなかでこのより安定した位相および周波数の決定を実現するために、最初の粗い位相の決定は、従来の位相決定よりも正確さを欠くとはいえ迅速なプロセスを用いて行なわれる。
2005525043.tif 000002
【特許請求の範囲】
【請求項１】
受信信号の送信部に対応する受信信号を受信するように構成された受信部と、
前記受信部に動作可能に結合され、前記受信信号の獲得周波数および獲得位相を獲得するように構成された獲得サブシステムと、
前記獲得周波数および獲得位相に基づいて、前記送信部との間の通信を達成するように構成された通信サブシステムと、
を備えると共に、
前記獲得サブシステムは、
制御位相でのコードを生成するように構成されたコード生成部と、
前記受信部および前記コード生成部に動作可能に結合され、前記受信信号と前記制御位相でのコードとの間の相関の複数の測定に基づく干渉性の測定を提供する精密モードと、前記精密モードにおける複数の測定よりもより少ない相関の測定に基づく干渉性の測定を提供する迅速モードと、の２つのモードの内の少なくとも１つのモードにおける前記コードに対する前記受信信号の干渉性の測定を決定するように構成された相関部と、
前記相関部に動作可能に結合され、前記相関部を制御するように構成された制御部とを含み、これにより、
前記相関部が前記迅速モードである間に、第１の複数の制御位相に対応する第１の複数の干渉性の測定を取得し、
前記第１の複数の干渉性の測定に基づいて粗い位相を決定し、
前記相関部が前記精密モードである間に、第２の複数の制御位相に対応する第２の複数の干渉性の測定を取得し、
前記第２の複数の干渉性の測定に基づいて獲得位相を決定する通信システム。
【請求項２】
前記第２の複数の干渉性の測定は粗い位相に基づいている請求項１に記載の通信システム。
【請求項３】
前記受信部に動作可能に結合され、前記受信信号に基づいて前記受信部の受信周波数を調整するように構成された自動周波数制御部をさらに備えると共に、
前記制御部は、
前記第２の複数の干渉性の測定を取得する前に前記自動周波数制御部を活性化させて、これにより第２の複数の干渉性の測定がＡＦＣ制御された受信周波数で取得される請求項１に記載の通信システム。
【請求項４】
前記自動周波数制御部は、
最初の周波数の第１の範囲内の周波数に固定化させる大レンジモードと、
前記第１の範囲よりも実質的に小さい第２の範囲内の周波数に固定化させる小レンジモードと、
を含む少なくとも２つのモードのうちの１つで動作可能であると共に、
前記制御部は、さらに、
前記第２の複数の干渉性の測定を取得する前に、前記自動周波数制御部を前記大レンジモードで活性化させ、
前記第２の複数の干渉性の測定を取得した後は、前記自動周波数制御部を前記小レンジモードで活性化させることにより、前記獲得周波が小レンジモードに固定化される周波数に対応するように構成されている請求項３に記載の通信システム。
【請求項５】
前記制御部は前記受信部の受信周波数を制御するように構成され、さらに、
前記制御部は、可能な送信部周波数の範囲に対応する複数のビン周波数のそれぞれの選択を介して前記受信周波数を制御する請求項１に記載の通信システム。
【請求項６】
前記コードは、複数の直交ＣＤＭＡコードの１つに対応する請求項１に記載の通信システム。
【請求項７】
受信信号と制御位相での直交ＣＤＭＡコードとの間の相関の複数の測定に基づく干渉性の測定を提供する精密モードと、
前記精密モードにおける前記複数の測定よりも、より少ない測定に基づく干渉性の測定を提供する迅速モードと、
の２つのモードのうちの少なくとも１つのモードで、受信信号の干渉性の測定を直交ＣＤＭＡコードに決定するように構成された相関部と、
前記相関部に動作可能に結合され、前記相関部を制御するように構成された制御部とを備え、前記制御部は：
前記相関部が前記迅速モードにある間に、第１の複数の制御位相に対応する第１の複数の干渉性の測定を取得し、
前記第１の複数の干渉性の測定に基づく粗い位相を決定し、
前記相関部が前記精密モードにある間に、第２の複数の制御位相に対応する第２の複数の干渉性の測定を取得し、
前記第２の複数の干渉性の測定に基づく獲得位相を決定するＣＤＭＡ獲得システム。
【請求項８】
前記第２の複数の制御位相は、粗い位相に基づいている請求項７に記載のＣＤＭＡ獲得システム。
【請求項９】
前記制御部は受信信号を提供する受信部の自動周波数制御部を制御するようにされに構成され、さらに、
前記制御部は前記第２の複数の干渉性の測定を取得する前に前記自動周波数制御部を活性化させる請求項７に記載のＣＤＭＡ獲得システム。
【請求項１０】
前記自動周波数制御部は、
最初の周波数の第１の範囲内の周波数に固定化させる大レンジモードと、
前記第１の範囲よりも実質的に小さい第２の範囲内の周波数に固定化させる小レンジモードと、
を含む少なくとも２つのモードのうちの１つで動作可能であると共に、
前記制御部は、さらに、
前記第２の複数の干渉性の測定を取得する前に、前記自動周波数制御部を前記大レンジモードで活性化させ、
前記第２の複数の干渉性の測定を取得した後は、前記自動周波数制御部を前記小レンジモードで活性化させることにより、前記獲得周波数が小レンジモードに固定化される周波数に対応するように構成されている請求項９に記載のＣＤＭＡ獲得システム。
【請求項１１】
受信信号の送信部に対応する特性を獲得する方法であって、
第１の複数の干渉性の測定であり、この第１の複数の干渉性の測定のそれぞれが受信信号と復調コードの第１の複数の制御位相のそれぞれのとの間の相関に対応する第１の多数の測定に基づいている、第１の複数の干渉性の測定を決定し、
第２の複数の干渉性の測定であり、この第２の複数の干渉性の測定のそれぞれが受信信号と復調コードの第２の複数の制御位相のそれぞれのとの間の相関に対応する第２の多数の測定に基づき、前記第２の多数の測定は前記第１の多数の測定よりも大きい、第２の複数の干渉性の測定を決定し、
前記第２の複数の干渉性の測定に基づいて、獲得位相を決定することを備える方法。
【請求項１２】
前記第２の複数の制御位相は粗い位相に基づいている請求項１１に記載の方法。
【請求項１３】
前記第２の複数の干渉性の測定を決定するのに先立って受信部周波数の自動周波数制御を可能にすることをさらに含む請求項１１に記載の方法。
【請求項１４】
第２の複数の干渉性の測定を決定するのに先立って受信周波数の大レンジ自動周波数制御を可能にし、
第２の複数の干渉性の測定を決定した後に受信周波数の小レンジ自動周波数制御を可能にすることをさらに備え、
前記大レンジ自動周波数制御は、第１の最初の周波数についての第１のレンジの範囲内で送信部の送信周波数の粗い評価を決定することを許容し、
前記小レンジ自動周波数制御は、第２の最初の周波数についての第２のレンジの範囲内で前記送信部の前記送信周波数の精密な評価を決定することを許容し、
前記第２のレンジは前記第１のレンジよりも小さい請求項１１に記載の方法。
【請求項１５】
前記第２の最初の周波数は、前記送信周波数の前記粗い評価に対応している請求項１４に記載の方法。
【発明の詳細な説明】
【技術分野】
【０００１】
本発明は、通信の分野に関し、特に、パイロットＣＤＭＡ信号の位相および周波数の最初の獲得／決定のためのシステムおよび方法に関する。
【背景技術】
【０００２】
ＣＤＭＡ（Code-Division Multiple Access―符号分割多重接続―）システムは、この分野、特に、移動体通信の分野では一般的な技術である。多重通信チャネルは、特定のコード（符号）パターンを用いる情報を変調することにより周波数帯域を超えるそれぞれのチャネルの情報内容を「拡散させる」ことにより同一の周波数帯域の範囲内で提供される。このコードパターンは、変調信号とは同じ位相ではない何れかの復調器に対してはこの変調信号がノイズとして現れるように設計される。すなわち、情報信号に対するコードパターンの適用に一致する変調信号に対する同一のコードパターンを提供する復調器が、この情報信号の再生を生成するであろう。他方で、変調システムに比べ、異なるコードパターンまたは異なる位相での同一のコードパターンの何れかを提供する復調器は、非干渉な信号を生成するであろう。この所望の干渉／非干渉の効果を提供するこれらの異なるコードパターンは、「直交する」コードとして引用される。特に注目すべきは、非干渉信号のそれぞれは、不規則な雑音［ランダム・ノイズ―random noise―］としての同一の特性を提示して、一般的なノイズフィルタリング技術がそれらの不都合な結果を最小化させるために適用可能である。
【０００３】
それゆえに、多重通信ＣＤＭＡシステムでは、復調器が個々の送信部に「切り替わる」か、または「同相となる」ときに、復調器信号は、他の「不一致位相の」ＣＤＭＡ送信部の全てにより生成されるノイズの温床の範囲内の干渉信号として現れるであろう。
【０００４】
送信信号と同相であるべき復調器のために、変調コードが情報信号に適用されるのと同一の時点で送信されるストリーム内で、復調コードの開始が生じなくてはならない。同相を維持するために、復調コードが情報信号に適用されていたのと同じ周波数で、送信されるストリームに対して復調コードは適用されなくてはならない。したがって、送信信号の適正なトラッキングは、送信の周波数と位相の両方の決定を必要とする。この送信の周波数と位相の決定は、送信の獲得として定義される。
【０００５】
送信部と受信部との間で通信が開始されたときの獲得を容易にするために、送信部は、個別の位相でのＣＤＭＡ変調を含むパイロット信号を送信する。受信部は、干渉信号が検出されるまで、徐々に異なっていく位相での送信を受信するためのＣＤＭＡコードを適用する。干渉信号が検出されたときには、受信部は、従来のＡＦＣ（Automatic Frequency Control―自動周波数制御―）技術を用いて送信周波数を固定［lock］する。干渉信号を検出するため、受信部は、送信部と略々同一の周波数で動作させられなければならない。そうでなければ、変調コードが開始した（すなわち、コードシーケンスの開始点で変調コードと同相である）ストリームにおける同一点で、もしも復調コードが開始するならば、送信部および受信部周波数の間の実質的な差は、コードシーケンスの終了前に、復調コードを変調コードの位相の範囲外にさせるであろう。
【０００６】
従来のＣＤＭＡシステムでは、受信部は公称送信周波数の近辺の種々の周波数で動作させられ、それぞれの周波数で、干渉信号が検出されるまで、上述した干渉までの位相変動プロセスが実行される。干渉信号が検出されたときに、受信部が送信部の周波数と位相とで動作していることを表示するならば、受信部は、周波数および位相の両方の探索を中止させて、送信部に対する周波数固定を維持させるためのＡＦＣプロセスを起動させる。
【０００７】
一度でも送信信号が獲得されたならば、受信部は探索モードを終了させて、適正な復調を達成させるために獲得された周波数と位相を用いて、送信部と受信部との間の通信を提供するための定常状態モードに入る。２０００年１０月１７日にボトムリー［Bottomley］その他に発効された米国特許第６，１３４，２６０号の「ＤＳ−ＳＳ・ＣＤＭＡ受信機用周波数獲得およびトラッキング方法および装置」は、最初の周波数と位相が決定された後の周波数および位相のトラッキングを持続させるための技術を開示しており、従来の先行技術としてのＣＤＭＡシステムを代表するものとしてこの明細書においては参考例として組み入れられる。
【０００８】
受信部が定常状態モードに入ると共に送信部が正確であるものと仮定されるときに周波数および位相の情報は正常であるものと仮定されるので、また、受信部の周波数と位相における急速な変化は復調信号に歪みを導入する可能性があるので、定常状態モードでの連続するトラッキングのために用いられるフィードバックループは、長い応答時間、および／または、ひどく鈍い応答を有する。ひとたび受信部が送信部を適切に獲得したのであったならば、この鈍い応答は好ましいものであるとはいえ、この鈍い応答が不適切に獲得された送信部の位相を保持し続ける結果を有している。特に、もしも最初に決定された位相が正しくないものであるならば、鈍い応答は、適正な位相が決定される前に、実質的な遅延を導くことになるであろう。正しくない位相が用いられている間に、変調エラーの起こり得る可能性は、正しい位相での復調のときよりも顕著に高くなる。
【発明の概要】
【０００９】
ＣＤＭＡシステムにおける最初の周波数および位相の獲得の正確性を改善させることがこの発明の目的である。送信の周波数および位相を獲得するために必要となる時間を実質的に増加させることなく周波数および位相の正確性を改善させることがこの発明の更なる目的である。
【００１０】
これらおよびその他の目的は、双方向方式でのＣＤＭＡ送信の周波数および位相を探索するシステムおよび方法を提供することにより達成される。自動周波数制御（ＡＦＣ）の故障と共に、受信システムは、公称受信周波数での送信部ＣＤＭＡ位相のための粗い探索を実行する。粗い位相が得られたときに、ＡＦＣは、最初の公称周波数よりも送信部周波数により接近している傾向にある、最初の粗い位相を得るために、大レンジ引き込みと共に用いられる。この粗い周波数で、受信システムは、予め決定された粗い位相で開始する送信部のＣＤＭＡ位相のためにその探索を繰り返す。この第２の位相決定は周波数エラーの少ないところで行なわれているので、より正確な位相の決定を提供する。ＡＦＣが再び行なわれるが、小レンジの引き込みであり、より精密な周波数の決定を得る。より精密な周波数決定は位相エラーが少ないところで行なわれているので、正確性における実質的な改善と周波数決定の精密さとが達成可能である。従来の獲得プロセスと同じ時間の持続でこのようなより正確な位相および周波数の決定を達成するために、最初の粗い位相の決定は、従来の位相決定よりもたとえ正確性が少ないとはいえ迅速なプロセスを用いて行なわれている。
【発明の詳細な説明】
【００１１】
この発明は、添付図面を参照して実施例の方法によって、より詳細に説明される。  
図面を通して同一の参照符号は同一または相当する特徴または機能を表示する。  
図１は従来のＣＤＭＡ周波数および位相獲得システムの一例を示す流れ図である。上述したように、干渉信号を検出するために、受信部は送信部の周波数の最小レンジの範囲内で動作しなければならないので、例えば、最初から同相での復調は、コードシーケンスの終わる前には、異なる位相へ移行しない。一般的に、特定の周波数に関する送信部の不一致はこの最小のレンジよりも大きいものであり、そのため、受信部は、各ビンのサイズがこの最小のレンジよりも小さいかまたは等しい、複数の周波数「ビン」を探索するように構成されている。このビンは、ループ１１０で定義されており、この探索はループ１２０〜１４０を介して各ビンの範囲内の公称周波数で行なわれる。
【００１２】
１３０で、受信部は、各ビン周波数での各コード位相の干渉を測定しており、具体的には、ますます増加して異なっていく位相でのコードシーケンス［sequence―連続―］を開始することにより測定している。このコードシーケンスは、ビットでの所定の長さを有しており、位相の増加は、具体的には単一のビットの持続時間の半分である。
【００１３】
全ての周波数および全ての位相がテストされた後は、一貫性の最も高い程度を示すビンおよび位相が、１５０で、選択される。その後、受信部は、１６０で、ビンの範囲内に送信周波数を固定するために自動周波数制御（ＡＦＣ）を行なう。その後受信部は、１７０で、送信部と通信するために定常状態モードに入る。この定常状態モードにおいて、受信部は決定された送信周波数およびコード位相に基づいて、送信部との間のトラッキングを持続する。米国特許第６，１３４，２６０に関連して上述したように、このトラッキングは好ましくは、鈍い／遅延したフィードバック応答を介して持続される。
【００１４】
図１の獲得プロセスでは、コード位相は、ＡＦＣにより決定される送信周波数ではなくてビンの範囲内の公称周波数で決定されることは注目すべきである。周波数エラーは連続する位相シフトを生成するので、探索プロセス１３０の間に決定された干渉は、実際の送信周波数での所定の位相により達成されるであろう干渉を正確には表現していない。すなわち、異なる位相および／または異なる公称周波数は、より高い干渉の測定を提供していたのかも知れない。さらに、決定された位相の解像度は、テストされた位相の増分に対して制限されない。
【００１５】
図２は、この発明による反復ＣＤＭＡ周波数および位相獲得システム一例を示す流れ図である。図２において、同一の参照符号は、図１の類似のプロセスを識別するために用いられている。送信周波数の予期される不一致箇所が、１１０で、複数のビンに分割され、各位相はループ１２０〜１４０を介してそれぞれのビン周波数でテストされる。
【００１６】
干渉測定プロセスは、２３０で、それぞれの位相の増分での「迅速な」測定である。例えば図１に示されているような従来のシステムでは、１３０で、干渉測定プロセスは完全な測定プロセスであり、その理由は、この測定プロセスに基づいて決定された位相は、ステップ１７０で、定常状態モード位相として用いられるからである。すなわち、例えば、１３０での測定プロセスは、具体的にはマルチ・ドゥエル［multi-dwell］アルゴリズムを用いて行なわれており、ここで、それぞれの測定は、多数のコード長のサンプルに基づいて、ノイズに起因する見せかけの測定エラーを低減させるためにフィルタリングすることにより行なわれる。特に注目すべきなのは、このプロセス１３０は、真正の位相（マルチパス効果）に関連して遅延させられた反射信号による干渉を示す直ぐ近くの位相から送信部の真正の位相を識別し、同様に異なる送信部から送られた信号間で識別するために設計されている。これにひきかえ、２３０での干渉測定プロセスは、干渉の「粗い」測定を提供し、送信部の近似的または粗い位相を決定するために特別に設計されている。この技術分野の通常の知識を有する者にとって明らかであるように、粗い測定は、従来のプロセスよりも、より少ないサンプルを単に取り込むことにより得ることが可能である。好適な実施形態において、１つの位相当たり１ダースよりも少ないサンプルが２３０で干渉の測定を得るために用いられ；受信ノイズに依存して、１位相当たり１つ又は２つのサンプルよりも少ないサンプルが用いられても良い。
【００１７】
プロセス１３０および２３０はそれぞれのビン周波数およびそれぞれの位相のために用いられ、ブロック２３０での処理時間の減少は、先行技術の図１と比較して、図２における１２０〜１４０に目を向けて効果のあるのに必要な時間内で実質的な減少を提供する。これとは選択的に、粗い干渉の測定が送信部周波数に近いより高いピーク測定の分散を提示するであろうこと、この粗い位相が個別のピーク測定よりむしろ多数の測定に基づいて決定されるかも知れないことは、期待することができる。同様の方法で、選択ビン周波数は、これらのより高いピーク測定に対応するビン周波数の合成であっても良い。
【００１８】
２６０で、ＡＦＣは、送信部周波数を選択ビン周波数の近くに固定するために行なわれる。図１における１６０のＡＦＣと比較すると、２６０のＡＦＣは好ましくは大レンジ引き込みにより行なわれ、これにより、受信部を選択周波数ビンの範囲を超えた送信部周波数へと潜在的に固定することを許容する。
【００１９】
２７０で、受信部は、１６０の大レンジのＡＦＣにより決定された周波数で、再びコード位相を探索する。この探索は、２５０で決定された粗い位相の近傍における複数位相での干渉を測定することにより行なわれる。受信部は２９０で定常状態モードにおけるこのプロセスステップで決定された位相を使用するであろうので図１の先行技術のプロセス１３０と比較可能なように、全体的なプロセスが２７０での干渉を測定するために用いられる。粗い位相の近傍でのそれぞれの位相のために２７０での全体的なプロセスを採用することにより、迅速な干渉の決定によってもたらされる２３０での位相の誤った決定の結果は未然に防止される。
【００２０】
２７０でのプロセスが単一の周波数で適用され、粗い位相の狭いレンジの範囲内の位相に制限することが可能なので、それぞれのビンおよびそれぞれの位相の増分で適用されるプロセス１３０と比較して、このプロセス２７０では追加の時間が許容されても良い。この追加の時間は、粗い位相の近傍におけるそれぞれの位相の増分での、より正確な干渉の測定を提供するために用いられても良い。これとは選択的に、位相の増分が低減されて、これによって送信部位相の決定における、より精密な解像度を提供することもできる。増加された正確さおよび／または解像度のために２７０での増加された処理時間を伴ってさえも、図２のプロセスが図１のプロセスと少なくとも同じくらい速く、および、それよりも、より有力に速いものであろうことは期待可能であり、その理由は、全体的な干渉測定のプロセス２７０は、実質的により少ない周波数位相の結合に適用されるからである。
【００２１】
２６０のＡＦＣ周波数が公称ビン周波数よりも送信部周波数により正確に対応し易いので、２７０の精密な位相決定はより少ない周波数エラーと共に生じ、それゆえに測定プロセスの間により少ない位相のシフトで生じることは注目される。このような事情なので、２７０で決定される精密な位相は、図１の先行技術のプロセスで決定される位相よりも、真正の送信部位相に、より対応しやすいものである。
【００２２】
２８０で、小レンジ、精密ＡＣが、２６０のＡＦＣ決定の粗い周波数で開始して行なわれる。このＡＦＣ決定の粗い周波数はより正確に送信部周波数に対応し易いものであるので、２８０のＡＦＣの小さな引き込みレンジは、図１における１６０のＡＦＣの引き込みレンジよりも、より小さなものとすることができ、これにより、２８０のＡＦＣを１６０の先行技術のＡＦＣよりも、より精密に決定された送信部周波数に固定することを許容することができる。
【００２３】
完全性のため、図３はこの発明によるＣＤＭＡ周波数および位相獲得システムの一例を示すブロック図である。図に示すように、獲得システム３００は、自動周波数制御（ＡＦＣ）装置３４０からの周波数調整信号ばかりでなく、制御部３５０からの周波数制御信号をも受信するように構成された受信部３３０を備える。
【００２４】
ＡＦＣ装置３４０は、制御部３５０からの制御信号を受信するように構成され、制御部３５０は、ＡＦＣがオンであるかオフであるかを決定して、もしもオンならば、ＡＦＣの（図２の２６０に対応して広く、２８０に対応して狭い）引き込みレンジとする。
【００２５】
相関部３２０は、受信部３３０からの入力信号を受信して、個別の位相で提供されるコードシーケンスに対する入力信号の相関に基づいて、干渉の測定を決定するように構成されている。この発明によれば、相関部３２０は、図２の２３０および２７０にしたがって迅速または精密な相関の決定の何れかを結果させるように構成されている。コードシーケンスは、制御部３５０で決定された位相で、コード生成部３１０により制御部３２０へ提供される。
【００２６】
制御部３５０は、相関部３２０により提供された干渉の測定に基づいて、装置３１０〜３４０を制御することにより図２に示されている機能をもたらすように構成されている。制御部３５０が精密な周波数と位相とを獲得した後は、制御部は上述した定常状態トラッキングモードに入り、相関部３２０は獲得された送信部との間の継続中の通信のために、復号化信号を通信サブシステム３６０へ提供する。
【００２７】
上述した内容は、単にこの発明の原理を示すものである。したがって、この技術分野の熟練者が、この明細書に明瞭に記載もしくは表示されていなくとも、この発明の原理を具体化させ、したがって、その精神および範囲内にあるものである種々の変形変更を発明することができるであろう。例えば、例示のシステム３００内の複数のブロック間の機能の個別の分離は、図示を目的とするためだけに表される。この技術分野の通常の技術者は、迅速相関部と精密相関部の２つの区別可能な相関部が、選択可能な相関モードを提供するために相関部３２０内に用いられることが可能であることを認識するであろう。同様の方法により、相関部３２０および受信部３３０は、通信サブシステム３６０に統合され易いものである。これらおよびその他のシステムの構成や最適化の特徴は、この開示に鑑みてこの技術分野の通常の技術者にとって明らかであろうし、これらは請求項の記載の範囲内に含まれている。
【図面の簡単な説明】
【００２８】
【図１】従来のＣＤＭＡ周波数および位相獲得システムの一例を示す流れ図である。
【図２】本発明による反復ＣＤＭＡ周波数および位相獲得システムの一例を示す流れ図である。
【図３】本発明によるＣＤＭＡ周波数および位相獲得システムの一例を示すブロック図である。
【図１】
2005525043.tif 000003
【図２】
2005525043.tif 000004
【図３】
2005525043.tif 000005
【国際調査報告】
2005525043.tif 000006
2005525043.tif 000007
2005525043.tif 000008